(57)【要約】      （修正有）【課題】カバーの開閉に伴うスペースを省空間化し、保守作業の容易化を図ることのできるエレベータ制御装置を得る。【解決手段】昇降路内に設けられた制御装置筐体の正面に取り付けられたカバー５を開閉するために、制御装置筐体の両側板に設けられたカバー開閉機構部を含み、カバー開閉機構部のそれぞれは、凹形状を有する一対のガイドレール２、３と、それぞれの凹形状を接続するように一対のガイドレール間に設けられた凹形状を有する横断ガイドレール４とで構成されるガイドレール部と、ガイドレール部２、３、４に設けられた凹形状に沿って移動可能な回転部材６と、一端がカバーに点固定され、他端が回転部材に点固定されたカバー支持部材７とを備え、回転部材をガイドレール部に設けられた凹形状に沿って移動させることで、カバーの開閉を可能とする。【選択図】図２
2011162269.tif 000002
【特許請求の範囲】
【請求項１】
機械室レスエレベータの昇降路内に設けられた制御装置筐体の正面に取り付けられたカバーを開閉するために、前記制御装置筐体の両側板に設けられたカバー開閉機構部を含むエレベータ制御装置であって、
前記両側板に設けられた前記カバー開閉機構部のそれぞれは、
凹形状を有する一対のガイドレールと、前記一対のガイドレールに設けられたそれぞれの凹形状を接続するように前記一対のガイドレール間に設けられた凹形状を有する横断ガイドレールとで構成されるガイドレール部と、
前記ガイドレール部に設けられた凹形状に沿って移動可能な回転部材と、
一端が前記カバーに点固定され、他端が前記回転部材に点固定されたカバー支持部材と
を備え、
前記回転部材を前記ガイドレール部に設けられた前記凹形状に沿って移動させることで、前記カバーの開閉を可能とする
ことを特徴とするエレベータ制御装置。
【請求項２】
請求項１に記載のエレベータ制御装置において、
前記一対のガイドレールは、前記制御装置筐体の上下方向に沿って互いに平行な位置関係にあり、
前記カバー支持部材は、前記カバーから前記第１ガイドレールよりも離れた位置に設けられた前記第２ガイドレールと前記カバーとの間の直線距離よりも長い全長を有する
ことを特徴とするエレベータ制御装置。
【請求項３】
請求項１または２に記載のエレベータ制御装置において、
前記カバー支持部材は、一端同士が回転自在となるように点固定された第１部材および第２部材で構成され、前記第１部材の他端が前記カバーに点固定され、前記第２部材の他端が前記回転部材に点固定されている
ことを特徴とするエレベータ制御装置。
【請求項４】
請求項１ないし３のいずれか１項に記載のエレベータ制御装置において、
前記第１ガイドレール内に固定配置され、前記回転部材が前記第１ガイドレール内で下方向に移動しないように前記回転部材を保持する固定ストッパーをさらに備える
ことを特徴とするエレベータ制御装置。
【請求項５】
請求項４に記載のエレベータ制御装置において、
前記第１ガイドレール内における前記固定ストッパーの固定位置を変更できるように、前記第１ガイドレール部に設けられた複数の固定穴をさらに備え、
前記固定穴の位置をずらして前記固定ストッパーの固定位置を変更することで前記カバーの開閉ストロークを変更する
ことを特徴とするエレベータ制御装置。
【請求項６】
請求項１ないし５のいずれか１項に記載のエレベータ制御装置において、
前記第２ガイドレール内の下部に固定配置され、前記回転部材が前記第２ガイドレール内から落下しないように前記回転部材を保持する落下防止ストッパーをさらに備える
ことを特徴とするエレベータ制御装置。
【発明の詳細な説明】
【技術分野】
【０００１】
本発明は、機械室レスエレベータの昇降路内に設けられたエレベータ制御装置に関し、特に、制御装置の筐体に取り付けられたカバーの開閉作業性の改善に関する。
【背景技術】
【０００２】
従来の機械室レスエレベータの昇降路内に設けられたエレベータ制御装置において、制御装置の筐体に取り付けられたカバーは、錠と蝶番を有した扉開閉式の構成をしている（例えば、特許文献１参照）。
【０００３】
このような従来のエレベータ制御装置においては、内部部品へアクセスする場合に、カバーを固定する角度を簡単な構成で変化可能とすることができ、保守・点検が容易となる。
【先行技術文献】
【特許文献】
【０００４】
【特許文献１】特開２００１−２６１２４７号公報
【発明の概要】
【発明が解決しようとする課題】
【０００５】
しかしながら、従来技術には、以下のような課題がある。
従来技術で示したカバーのように、扉開閉式の構成となっている場合には、スペースの少ない昇降路内における保守作業時に、カバーを開閉する際に、筐体正面に多くのスペースを必要とする。特に、筐体内の保守作業を容易とするために、より幅の広いカバーを開閉する際には、筐体正面にさらに多くのスペースを必要とする。この結果、昇降路内のスペースが限られていることから、作業員の立ち位置確保が困難であるという問題があった。
【０００６】
また、ネジ止め固定によりカバーを固定し、ネジを緩めることで扉を開ける方法を用いた場合には、ネジを緩めてカバーを開く際に、ネジやカバーを昇降路内に落下させてしまうおそれがあった。従って、作業スペースを確保するとともに、ネジ等の落下のおそれを軽減するような保守作業の容易化を図ることも望まれる。
【０００７】
本発明は、前記のような課題を解決するためになされたものであり、カバーの開閉に伴うスペースを省空間化し、保守作業の容易化を図ることのできるエレベータ制御装置を得ることを目的とする。
【課題を解決するための手段】
【０００８】
本発明に係るエレベータ制御装置は、機械室レスエレベータの昇降路内に設けられた制御装置筐体の正面に取り付けられたカバーを開閉するために、制御装置筐体の両側板に設けられたカバー開閉機構部を含むエレベータ制御装置であって、両側板に設けられたカバー開閉機構部のそれぞれは、凹形状を有する一対のガイドレールと、一対のガイドレールに設けられたそれぞれの凹形状を接続するように一対のガイドレール間に設けられた凹形状を有する横断ガイドレールとで構成されるガイドレール部と、ガイドレール部に設けられた凹形状に沿って移動可能な回転部材と、一端がカバーに点固定され、他端が回転部材に点固定されたカバー支持部材とを備え、回転部材をガイドレール部に設けられた凹形状に沿って移動させることで、カバーの開閉を可能とするものである。
【発明の効果】
【０００９】
本発明に係るエレベータ制御装置によれば、支持部材により支持されたカバーを容易にスライド開閉操作できる構成を備えており、筐体内の内部部品へアクセスする場合に、カバー前面を省スペースで開閉可能にすることにより、カバーの開閉に伴うスペースを省空間化し、保守作業の容易化を図ることのできるエレベータ制御装置を得ることができる。
【図面の簡単な説明】
【００１０】
【図１】本発明の実施の形態１におけるエレベータ制御装置の全体を示す斜視図である。
【図２】本発明の実施の形態１におけるエレベータ制御装置の側面図である。
【図３】本発明の実施の形態１におけるカバー支持部材の正面図である。
【図４】本発明の実施の形態１におけるカバー支持部材の側面図である。
【図５】本発明の実施の形態１における固定ストッパーの斜視図である。
【図６】本発明の実施の形態１における固定ストッパーの断面図である。
【図７】本発明の実施の形態１における固定ストッパーの側面図である。
【図８】本発明の実施の形態１におけるエレベータ制御装置のカバー開閉動作を説明するための側面図である。
【図９】本発明の実施の形態１におけるエレベータ制御装置のカバーを全部開いた状態を示す側面図である。
【図１０】本発明の実施の形態１における図４とは異なる構成を有するカバー支持部材の側面図である。
【発明を実施するための形態】
【００１１】
以下、本発明のエレベータ制御装置の好適な実施の形態につき図面を用いて説明する。
【００１２】
実施の形態１．
図１は、本発明の実施の形態１におけるエレベータ制御装置の全体を示す斜視図である。また、図２は、本発明の実施の形態１におけるエレベータ制御装置の側面図である。図１、図２に示すように、本実施の形態１におけるエレベータ制御装置１は、第１ガイドレール２、第２ガイドレール３、横断ガイドレール４、カバー５、回転部材６、カバー支持部材７、固定ストッパー８、落下防止ストッパー９、およびネジ１０を備えて構成されている。
【００１３】
図１において、エレベータ制御装置１の筐体の両側板には、凹形状の第１ガイドレール２と、同じく凹形状の第２ガイドレール３が、一対のガイドレールとして互いに平行な関係に設けられている。また、第１ガイドレール２と第２ガイドレール３の間の障壁には、第１ガイドレール２および第２ガイドレール３の間の垂直な方向に凹構造を配置してなる横断ガイドレール４が設けられている。
【００１４】
筐体前面は、カバー５により覆われる構造となっており、このカバー５により制御盤内部が保護されている。図２において、カバー５は、３つのガイドレール（第１ガイドレール２、第２ガイドレール３、横断ガイドレール４）の凹部内を移動可能なように配置されている回転部材６、および回転部材６につながれているカバー支持部材７により支持されている。
【００１５】
そして、回転部材６は、第１ガイドレール２および第２ガイドレール３の凹部内においては、水平方向が固定され、上下方向に移動可能となるような構造となっている。さらに、回転部材６は、横断ガイドレール４を経由することで、第１ガイドレール２から第２ガイドレール３へ、あるいは第２ガイドレール３から第１ガイドレール２へ移動することができる。従って、カバー支持部材７の全長は、第２ガイドレール３とカバー５との間の直線距離よりも長く設計されている。
【００１６】
第１ガイドレール２内には、１つのカバー５に対応して固定ストッパー８が配置されている。この結果、回転部材６は、第１ガイドレール２内においては、その自重により、固定ストッパー８の位置で固定される構造になっている。また、第２ガイドレール３内の最下部には、カバーの落下を防止する為に、落下防止ストッパー９が配置されている。この結果、回転部材６は、第２ガイドレール３内においては、その自重により、落下防止ストッパー９の位置で固定され、落下が防止される構造になっている。
【００１７】
次に、カバー支持部材７の構成を図３、図４によって説明する。図３は、本発明の実施の形態１におけるカバー支持部材７の正面図である。また、図４は、本発明の実施の形態１におけるカバー支持部材７の側面図である。本実施の形態１におけるカバー支持部材７は、第１部材７ａ、第２部材７ｂ、および固定部材７ｃで構成されている。
【００１８】
第１部材７ａは、カバー５に点固定されており、カバー５は、一点を支点にして自在に回転する構造となっている。一方、第１部材７ａと第２部材７ｂは、固定部材７ｃにより点固定されており、互いに回転自在である。
【００１９】
次に、固定ストッパー８の構成を図５〜図７によって説明する。図５は、本発明の実施の形態１における固定ストッパー８の斜視図である。また、図６は、本発明の実施の形態１における固定ストッパー８の断面図であり、図５における平面Ａでの断面図を示している。さらに、図７は、本発明の実施の形態１における固定ストッパー８の側面図である。
【００２０】
固定ストッパー８は、中心部に深い凹構造が形成されており、その凹部分にネジの固定用穴８ａが空けられている。そして、固定ストッパー８は、固定用穴８ａを介して、筐体側面にネジで固定される。なお、固定ストッパー８は、図６に示すような深い凹構造を有することにより、固定用のネジを外した際に、ネジが外れても固定ストッパー８の凹構造に保持され、ネジが落下しにくい構造となっている。この構造は、落下防止ストッパー９も、同様である。さらに、図１に示したような、ネジ１０によるカバー５の固定においても、カバー５に同様のネジ落下防止構造を持たせることができる。
【００２１】
次に、上記のように構成されたエレベータ制御装置のカバー開閉時の動作機構について、具体的に説明する。図８は、本発明の実施の形態１におけるエレベータ制御装置のカバー開閉動作を説明するための側面図である。また、図９は、本発明の実施の形態１におけるエレベータ制御装置のカバーを全部開いた状態を示す側面図である。これら図８、図９に基づいて、カバー開時の一連動作、およびカバー閉時の一連動作を、詳細に説明する。
【００２２】
なお、図８、図９においては、上段、中段、下段の３段でカバーが構成されている場合を例示している。そして、これら図８、図９、および以下の説明においては、横断ガイドレール４、カバー５、回転部材６、カバー支持部材７のそれぞれについて、上段用には添字Ｕ、中段用には添字Ｍ、下段用には添字Ｌをそれぞれ付すことで、必要に応じて区別している。
【００２３】
＜カバー開時＞
［開手順１］回転部材６を第１ガイドレール２にある固定ストッパー８により保持された状態から、上方向に持ち上げ、第１部材７ａと第２部材７ｂのなす角θを任意の角度に調整し、移動させる。
［開手順２］さらに、回転部材６を、第１ガイドレール２と第２ガイドレール３を連結する横断ガイドレール４を通過させ、第２ガイドレール３へ移動させる。このときのカバー支持部材７は、図８における符号７Ｌ（１）から７Ｌ（２）の状態に変化することとなる。
【００２４】
［開手順３］カバー５を固定しているネジ１０を取り外し、カバーを下方向にスライド移動させ、開状態とする。
［開手順４］回転部材６が、第２ガイドレール３の最下部の落下防止ストッパー９により止まることで、カバー５を落下させることなく、保持された状態とする。
【００２５】
この一連の流れを下段のカバー５Ｌ、中段のカバー５Ｍ、上段のカバー５Ｕの順に１つずつ行うことで、落下防止ストッパー９により保持された状態で、全てのカバー５Ｕ〜５Ｌを開くことができ、最終的に、図９のような状態となる。
【００２６】
＜カバー閉時＞
全開の状態からカバー５を閉じる際について説明する。
［閉手順１］上段のカバー５Ｕを上方向に移動させながら、上段の回転部材６Ｕを第２ガイドレール３の上方向に移動させる。
［閉手順２］上段の回転部材６Ｕを、第１ガイドレール２と第２ガイドレール３を連結する上段の横断ガイドレール４Ｕを通過させることで、第１ガイドレール２に移動させる。
【００２７】
［閉手順３］上段の回転部材６Ｕを、第１ガイドレール２に移動させた後、上段の固定ストッパー８Ｕにより、上段のカバー５Ｕが下方向に下がることがないように保持する。
［閉手順４］上段の回転部材６Ｕが上段の固定ストッパー８Ｕにより保持された状態で、第１部材７ａと第２部材７ｂのなす角θを任意の角度に調整することで、上段のカバー５Ｕを所定の位置に戻し、ネジ１０で固定する。
【００２８】
この一連の流れを上段のカバー５Ｕ、中段のカバー５Ｍ、下段のカバー５Ｌの順に１つずつ行うことで、それぞれの段の固定ストッパー８Ｕ〜８Ｌにより保持された状態で、全てのカバー５Ｕ〜５Ｌをネジ止めすることができ、最終的に、図８のもとの状態に戻ることとなる。
【００２９】
以上のように、実施の形態１によれば、先端に回転部材が取り付けられたカバー支持部材をカバーに取り付けている。そして、凹型ガイドレール内で回転部材を移動させることで、カバーをスライド移動させる開閉機構を備えている。さらに、凹型ガイドレール内で回転部材の上下方向位置を保持することができるストッパーを備えている。このように、カバー開閉をスライド構造とすることで、保守時に制御盤の内部部品にアクセスする際に、前面にスペースをつくることなく、カバーの開閉に伴うスペースを省空間化した上で、カバーを開閉することが可能となる。
【００３０】
さらに、開時のカバーは、落下防止ストッパーの働きにより保持され、閉時のカバーは、固定ストッパーの働きにより保持されるため、カバーが落下することを防止でき、保守作業の容易化を図ることができる。
【００３１】
なお、本実施の形態１では、３枚のカバー５を有する場合を例示した。しかしながら、本発明のカバー開閉機構は、任意のカバー枚数に対応可能であり、１枚から複数枚のカバーを有するエレベータ制御装置において適用できる。
【００３２】
また、本実施の形態１では、回転部材６とカバー５とをつなぐカバー支持部材７が、第１部材７ａ、第２部材７ｂ、および固定部材７ｃで構成されている場合について説明した（図４参照）。しかしながら、本発明に用いられるカバー支持部材７は、このような構成に限定されない。図１０は、本発明の実施の形態１における図４とは異なる構成を有するカバー支持部材７の側面図である。図１０に示すように、カバー支持部材７を一直線の形状としても、本発明のカバー開閉機構を実現できる。
【００３３】
ただし、図１０の構成を有する場合には、カバー５の位置を移動させることなく、第１部材７ａと第２部材７ｂのなす角θを任意の角度に調整しながら回転部材６を移動させることはできない。従って、図１０の構成を有するカバー支持部材７を用いる場合には、カバー５の移動とともに、回転部材６を移動させることとなる。
【００３４】
また、本実施の形態１では、第１ガイドレール２上において、固定ストッパー８を筐体側面に固定し、カバー５の閉じた状態を保持する場合について説明した。しかしながら、固定ストッパー８の固定用の穴を、筐体側面の任意の位置に追加し、その任意の位置に固定ストッパー８を移動させて固定することにより、必要な分のみカバー５の開口スペースを作り、保守作業することも可能である。
【符号の説明】
【００３５】
１  エレベータ制御装置、２  第１ガイドレール、３  第２ガイドレール、４  横断ガイドレール、５  カバー、６  回転部材、７  カバー支持部材、７ａ  第１部材、７ｂ  第２部材、７ｃ  固定部材、８  固定ストッパー、８ａ  固定用穴、９  落下防止ストッパー、１０  ネジ。
【図１】
2011162269.tif 000003
【図２】
2011162269.tif 000004
【図３】
2011162269.tif 000005
【図４】
2011162269.tif 000006
【図５】
2011162269.tif 000007
【図６】
2011162269.tif 000008
【図７】
2011162269.tif 000009
【図８】
2011162269.tif 000010
【図９】
2011162269.tif 000011
【図１０】
2011162269.tif 000012